(57)【特許請求の範囲】
【請求項１】
無線信号の送信および受信を停止する第一の状態と、無線信号の送信および受信を開始する第二の状態と、あらかじめ定められた通信範囲を確保するために必要な送信電力で無線信号を送信する第三の状態と、を持ち、
前記第二の状態および前記第三の状態において、初期接続信号の送信タイミングを端末装置に指示する下り送信信号処理部と、前記初期接続信号の送信タイミングにおいて端末装置から送信された初期接続信号を受信する上り受信信号処理部と、前記第二の状態において、前記第三の状態よりも高頻度で前記初期接続信号の送信タイミングを設定する上り受信決定部を具備することを特徴とする無線基地局装置。
【請求項２】
前記第一の状態へ遷移した時点からの経過時間を測定する第一のタイマーをさらに具備し、前記第一の状態において、第一のタイマーが満了すると前記第二の状態に遷移することを特徴とする、請求項１記載の無線基地局装置。
【請求項３】
前記第二の状態へ遷移した時点からの経過時間を測定する第二のタイマーをさらに具備し、前記第二の状態において、第二のタイマーが満了すると前記第三の状態に遷移することを特徴とする、請求項１記載の無線基地局装置。
【請求項４】
前記第二のタイマーの経過時間にともなって無線信号の送信電力を上げる決定を行う送信電力決定部をさらに具備することを特徴とする、請求項１記載の無線基地局装置。
【請求項５】
前記第三の状態において自局に接続する端末装置の数を管理するカウンタをさらに具備し、前記カウンタの値が所定の値を下回った場合、前記第一の状態に遷移することを特徴とする、請求項１記載の無線基地局装置。
【請求項６】
無線信号の送信および受信を停止する第一の状態と、無線信号の送信および受信を開始する第二の状態と、あらかじめ定められた通信範囲を確保するために必要な送信電力で無線信号を送信する第三の状態と、を持ち、
前記第二の状態および前記第三の状態において、初期接続信号の送信タイミングを下り送信信号処理部が端末装置に指示するステップと、前記初期接続信号の送信タイミングにおいて端末装置から送信された初期接続信号を上り受信信号処理部が受信するステップと、前記第二の状態において、前記第三の状態よりも高頻度で前記初期接続信号の送信タイミングを上り受信決定部が設定するスッテプとからなる通信制御方法。
【発明の詳細な説明】
【技術分野】
【０００１】
本発明は、装置起動時に下り送信電力および上り受信信号を制御する基地局装置および通信制御方法に関する。
【背景技術】
【０００２】
近年、携帯電話の不感地帯の補間やデータトラフィック分散を目的として、セル半径が大きい大型基地局装置（以下、ＭｅＮＢ）に加え、セル半径が小さい小容量基地局装置（以下、ＨｅＮＢ）を併設することが検討されている。これにより、特定の基地局（以下、ｅＮＢ）へのトラフィック集中による混雑が起こり難くなり、ネットワーク全体として高いユーザースループットが期待できる。しかしながら、深夜のようにネットワーク利用者数が少ない時間帯はｅＮＢ当たりの所要スループットが低下するため、多数の基地局装置を並行して常時起動することは無駄なエネルギー消費が発生してしまう問題がある。
【０００３】
この問題を解決するために、ｅＮＢの利用状況に応じて最低限必要な機能以外のブロックの電源をオフにする技術が提案されている。非特許文献１では、ｅＮＢのエリア内にＵＥが存在しないと判定すると省電力モードに移行し、ｅＮＢの下り送信機能を停止する方法を示している。
【０００４】
ここで、非特許文献１に示される実施例を図１に示す。図１（ａ）では、ＭｅＮＢ１０１のカバレッジ内にＨｅＮＢ１０２が設置されており、さらにＭｅＮＢのカバレッジ内に２台の移動局装置（以下、ＵＥ）ＵＥ１０３およびＵＥ１０４が存在している。この場合、ＨｅＮＢ１０２のカバレッジ内にはＵＥが存在していないため、非特許文献１ではこのような状況下のＨｅＮＢは下り送信を止めることを提案している（図１（ｂ））。この時、ＨｅＮＢ１０２のカバレッジだった領域（図１（ｂ）破線部内）はＭｅＮＢ１０１が補間しているため、仮にこの領域内にＵＥが移動しても、通信のコネクションは保証される。図１（ｂ）において、新たなＵＥ１０５およびＵＥ１０６がＨｅＮＢ１０２のエリア内に進入し（図１（ｃ））、かつＨｅＮＢ１０２がＵＥ１０５または１０６の上り信号検出等により自エリア内にＵＥが存在することを認識した場合、ＨｅＮＢ１０２は下り送信を開始する（図１（ｄ））。
【０００５】
別の実施例を図２に示す。図２（ａ）は、ＭｅＮＢ２０１のカバレッジ内にＨｅＮＢ２０２乃至２０５の計４台が設置されている例である。また、ＭｅＮＢ２０１のエリア内にＵＥ２０６およびＵＥ２０７が存在しているが、各々はＭｅＮＢ２０１ではなくＨｅＮＢ２０３およびＨｅＮＢ２０４とコネクションを確立している。この場合、ＭｅＮＢ２０１とコネクションを確立しているＵＥが存在しないため、非特許文献１ではこのような状況下のＭｅＮＢは下り送信を止めることを提案している。この際、ＨｅＮＢ２０２乃至ＨｅＮＢ２０５はＭｅＮＢ２０１の下り送信停止に伴い生じる不感知帯を補うため、下り送信電力を上げ、各々のカバレッジを広げる（図２（ｂ））。図２（ｂ）において、新たなＵＥ２０８乃至ＵＥ２１６がＭｅＮＢ２０１のエリアに進入し（図２（ｃ））、かつＭｅＮＢ２０１がＵＥ２０８乃至ＵＥ２１６の上り信号検出等により自エリア内のＵＥ数が増加したことを認識した場合、ＭｅＮＢ２０１は下り送信を開始する。その際、ＨｅＮＢ２０２乃至ＨｅＮＢ２０５は下り送信電力を下げ、各々のカバレッジを通常の範囲に戻す（図２（ｄ））。
【先行技術文献】
【特許文献】
【０００６】
【特許文献１】特開２００９−１７１３９号公報
【非特許文献】
【０００７】
【非特許文献１】TR 36.927 " Potential solutions for energy saving for E-UTRAN"
【発明の概要】
【発明が解決しようとする課題】
【０００８】
ｅＮＢが下り送信を開始する際、当該ｅＮＢの近隣ＵＥは他の周辺ｅＮＢに接続しているため、当該ｅＮＢが下り信号の送信の開始直後は近隣ＵＥにとっては大きな干渉源になる。そのため、近隣ＵＥは速やかに当該ｅＮＢにハンドオーバーすることが望ましい。
【０００９】
しかしながら、ｅＮＢ起動直後は近隣ＵＥから一斉にハンドオーバー、すなわちランダムアクセスチャネル（以下、ＲＡＣＨ）送信が発生するため、ＵＥ間のＲＡＣＨの衝突が発生しやすく、速やかにハンドオーバーが完了することは困難となる。この傾向は基地局のセル半径が大きいほど、または近隣ＵＥが密集しているほど顕著となる。例えば、図２（ｄ）の例ではＵＥ２０８、ＵＥ２１１、ＵＥ２１２、ＵＥ２１３、ＵＥ２１４およびＵＥ２１６がＭｅＮＢ２０１にハンドオーバーするため、一斉にＲＡＣＨを送信する。そのため、互いのＲＡＣＨが衝突・干渉を起こし、いずれのＵＥから送信されたＲＡＣＨも再送となってしまう。さらに、一般的にＲＡＣＨは通常のデータチャネルと異なり、割り当て可能な時間リソースが長周期で設定される。このため、ＲＡＣＨの再送には長い時間を要し、結果的に全てのＵＥのＲＡＣＨがＭｅＮＢ２０１で正しく検出され、ハンドオーバーが完了するには時間がかかってしまう。
【００１０】
この問題を解決するために、特許文献１ではＵＥ毎に初期接続信号が割り当て可能な周波数リソースを分けることで、ＵＥ同士の初期接続信号の衝突確率を低減する方法が示されている。
【００１１】
しかしながら、特許文献１に示される方法はＵＥ毎にＲＡＣＨ用リソースを複数割り当てる必要があるため、周波数利用効率の観点で問題がある。また、初期接続前にＵＥ毎に個別にシグナリングすることは、３ＧＰＰ（３ｒｄ  Ｇｅｎｅｒａｔｉｏｎ    Ｐａｒｔｏｎｅｒｓｈｉｐ  Ｐｒｏｊｅｃｔ）等のセルラーシステムにおいては非常に困難である。
【００１２】
本発明の目的は、ｅＮＢ起動時に近隣ＵＥが速やかに当該ｅＮＢにハンドオーバーできるようにすることである。
【課題を解決するための手段】
【００１３】
本発明の基地局装置は、無線信号の送信および受信を停止する第一の状態と、無線信号の送信および受信を開始する第二の状態と、あらかじめ定められた通信範囲を確保するために必要な送信電力で無線信号を送信する第三の状態と、を持ち、前記第二の状態および前記第三の状態において、初期接続信号の送信タイミングを端末装置に指示する手段と、前記初期接続信号の送信タイミングにおいて端末装置から送信された初期接続信号を受信する手段と、を具備する構成を採り、前記第二の状態において、前記第三の状態より高頻度で初期接続信号の送信タイミングを設定することを特徴とする。
【００１４】
また、本発明の基地局装置は、前記第一の状態へ遷移した時点からの経過時間を測定する第一のタイマーをさらに具備し、前記第一の状態において、第一のタイマーが満了すると前記第二の状態に遷移することを特徴とする。
【００１５】
また、本発明の基地局装置は、前記第二の状態へ遷移した時点からの経過時間を測定する第二のタイマーをさらに具備し、前記第二の状態において、第二のタイマーが満了すると前記第三の状態に遷移することを特徴とする。
【００１６】
また、本発明の基地局装置は、前記第二のタイマーの経過時間に応じて無線信号の送信電力を上げることを特徴とする。
【００１７】
また、本発明の基地局装置は、前記第三の状態において自局に接続する端末装置の数を管理するカウンタをさらに具備し、前記カウンタの値が規定の値を下回った場合、前記第一の状態に遷移することを特徴とする。
【００１８】
この構成により、周辺端末装置が当該基地局装置へ速やかにハンドオーバーすることができる。
【発明の効果】
【００１９】
本発明の基地局装置によれば、基地局を起動したとき、近隣ＵＥに対し個別にシグナリングを行うことなくＵＥ同士のＲＡＣＨ衝突確率を低減することができるため、速やかに当該ｅＮＢにハンドオーバーするよう促すことができる。
【図面の簡単な説明】
【００２０】
【図１】従来技術における非特許文献１に示される第一の実施例の説明図
【図２】従来技術における非特許文献１に示される第二の実施例の説明図
【図３】本発明の実施の形態に係るシステム構成例を示す図
【図４】本発明の実施の形態に係るＭｅＮＢの状態遷移図
【図５】本発明の実施の形態に係るＭｅＮＢの構成を示すブロック図
【図６】本発明の実施の形態に係るＰＲＡＣＨ受信頻度を示すテーブルを示す図
【図７】本発明の実施の形態に係る制御部の動作を示すフロー図
【発明を実施するための形態】
【００２１】
以下、本発明の実施の形態について説明する。図３に、本発明の実施の形態に係るシステム構成の例を、図４に図３に示すＭｅＮＢ３０１の状態遷移図を、それぞれ示す。ここでは無線通信システムとしてＬＴＥ（Long Term Evolution）システムを例に説明する。
【００２２】
まず、ＭｅＮＢ３０１は置局直後（ＳＴ４０１）、「休止モード」と呼ばれる状態にある。これは図３（ａ）に示す通り、ＭｅＮＢ３０１は下り送信を止めている状態を指す。休止モードにおいては、次の「起動モード」に遷移する条件を満たすまでは、休止モードを保持し続ける（ＳＴ４０２）。この遷移条件については後述する。
【００２３】
休止モードにあるＭｅＮＢ３０１が一定の条件を満たした場合、ＭｅＮＢ３０１は起動モードに遷移する（ＳＴ４０３）。これは図３（ｂ）に示す通り、ＭｅＮＢ３０１が下り送信電力を徐々に上げ、カバレッジを３０５、３０６、３０７と拡大する状態を指す。起動モードにおいては、次の「定常モード」に遷移する条件を満たすまでは、起動モードを保持し続ける（ＳＴ４０４）。この遷移条件については後述する。
【００２４】
起動モードにあるＭｅＮＢ３０１が一定の条件を満たした場合、ＭｅＮＢ３０１は定常モードに遷移する（ＳＴ４０５）。これは図３（ｃ）に示す通り、ＭｅＮＢ３０１が下り送信電力を所定の電力に固定し、カバレッジを一定に保つ状態を指す。定常モードにおいては、次の「休止モード」に遷移する条件を満たすまでは、定常モードを保持し続ける（ＳＴ４０６）。この遷移条件については後述する。
【００２５】
定常モードにあるＭｅＮＢ３０１がある条件を満たした場合、ＭｅＮＢ３０１は休止モードに遷移する（ＳＴ４０７）。
【００２６】
図５は、本発明の実施の形態におけるＭｅＮＢの構成を示すブロック図である。以下、図５を用いてＭｅＮＢの構成について説明する。
【００２７】
無線送受信部５０２は、自局のカバレッジ内のＵＥからの上り無線信号をアンテナ５０１を介して受信し、受信した上り無線信号に所定の無線処理を施して上りベースバンド信号に変換し、上り受信信号処理部５０３に出力する。同時に、ＭｅＮＢ５００が起動モード又は定常モードの場合、下り送信信号処理部５０７からの下りベースバンド信号に対し所定の無線処理を施して下り無線信号に変換し、アンテナ５０１に出力する。
【００２８】
上り受信信号処理部５０３は、無線送受信部５０２から出力された上りベースバンド信号に対して所定の復調処理を行い、上り受信信号を得る。ここで、上り受信信号とは初期接続信号に相当するＰＲＡＣＨ（Physical Random Access Channel）の他に、制御情報を重畳するＰＵＣＣＨ（Physical Uplink Control Channel）、主にデータ信号を重畳するＰＵＳＣＨ（Physical Uplink Shared Channel）、上り伝播路の品質測定を目的とするＳＲＳ（Sounding Reference Signal）等が含まれる。
【００２９】
制御部５０４は、上り受信信号処理部５０３の出力に基づき、自局のカバレッジ内に存在するＵＥ数（以下、ＮＵＥ）を管理する。具体的には、上り受信信号処理部５０３の出力のうち、ＵＥが自局にハンドオーバー成功したメッセージ（RRCConnectionReconfigurationComplete Message）を検出した場合、ＮＵＥをインクリメントする。また、上り受信信号処理部５０３の出力のうち、上り受信品質報告（Measurement Report）を検出し、かつその値が所定閾値より低い場合、当該ＵＥは他セルへハンドオーバーするものと見なし、ＮＵＥをデクリメントする。また、制御部５０４は自局のモードを管理する機能、休止モードに遷移してからの経過時間を管理するタイマーおよび起動モードに遷移してからの経過時間を管理するタイマー（図示しない）を具備する。制御部５０４が決定したモード情報は、上り受信決定部５０５および送信電力決定部５０６に出力される。
【００３０】
上り受信決定部５０５は、制御部５０４から出力されたモード情報に基づきＰＲＡＣＨ受信頻度を決定し、その結果を上り受信信号処理部５０３および下り送信信号処理部５０７へ出力する。
【００３１】
ここで、上り受信決定部５０５において決定されるＰＲＡＣＨ受信頻度の詳細について説明する。図６は上り受信決定部５０５において保持されているＰＲＡＣＨ受信頻度を示すテーブルである。PRACH Configuration IndexとはＰＲＡＣＨ受信頻度を表す番号である。Preamble FormatとはＰＲＡＣＨの物理チャネル構造を示す番号であり、０乃至４の値が割り当てられる。ここでは例として、Preamble Formatは全て０とした。これは比較的小さいセル半径の基地局に対して割り当てられるチャネル構造である。System frame numberおよびSubframe numberは、ＰＲＡＣＨを受信するシステムフレーム番号およびサブフレーム番号を表している。
【００３２】
ＬＴＥの物理チャネルはサブフレーム単位で構成されており、１サブフレーム長は１[msec]である。また、１システムフレームは１０サブフレームで構成される。システムフレーム番号は０乃至１０２３の値が巡回的に割り当てられる。例えばPRACH Configuration Index＝０の場合、システムフレーム番号が偶数かつサブフレーム番号が１の場合のみ、ＰＲＡＣＨ受信を行うため、結果的に２０[msec]周期でＰＲＡＣＨを受信することになる。PRACH Configuration Index＝１４の場合、全てのサブフレームにおいてＰＲＡＣＨを受信することを意味する。
【００３３】
上り受信決定部５０５は、制御部５０４から出力されたモード情報に基づきPRACH Configuration Indexを決定する。この中で、上り受信信号処理部５０３には当該PRACH Configuration Indexに対応するSystem frame numberおよびSubframe numberを、下り送信信号処理部５０７にはPRACH Configuration Indexを、それぞれ出力する。
【００３４】
送信電力決定部５０６は、制御部５０４から出力されたモード情報に基づき、下り送信電力を決定し、下り送信信号処理部５０７へ出力する。
【００３５】
下り送信信号処理部５０７は、送信電力決定部５０６からの指示に基づき、下りベースバンド信号を生成し、無線送受信部５０２へ出力する。ここで、下りベースバンド信号には、制御情報を重畳するＰＤＣＣＨ（Physical Downlink Control Channel）、データ信号やＳＩＢ（System Information Block）を重畳するＰＤＳＣＨ（Physical Downlink Shared Channel）、報知情報を重畳するＰＢＣＨ（Physical Broadcast Channel）、ＵＥの同期を目的としたＳＳ（Synchronization Signal）等が含まれる。このうち、上り受信決定部から出力されたPRACH Configuration IndexはＳＩＢとしてＰＤＳＣＨに重畳される。
【００３６】
図５の制御部５０４、上り受信決定部５０５および送信電力決定部５０６の詳細な動作を、図７にフローチャートを元に説明する。ＭｅＮＢはまず置局直後、休止モードに遷移する（ＳＴ７０１）。このとき第一のタイマーＴ１を初期化、すなわちＴ１＝０とする。また、下り送信電力Ｐｔｘを無送信すなわち、Ｐｔｘ＝０とする。
【００３７】
第一のタイマーＴ１はＭｅＮＢが休止モードに遷移した時間を起点とした経過時間を測定することを目的とする。Ｔ１があらかじめ定められた閾値Ｔｔｈ１に達するまで、休止モードを保持し続け、Ｔ１をインクリメントし続ける（ＳＴ７０２、ＳＴ７０３）。
【００３８】
Ｔ１がタイマー満了した場合（Ｔ１≧Ｔｔｈ１）、ＭｅＮＢは起動モードに遷移する（ＳＴ７０４）。このとき第二のタイマーＴ２を初期化、すなわちＴ２＝０とする。また、下り送信電力Ｐｔｘを最小送信電力、すなわち、Ｐｔｘ＝Ｐｍｉｎとする。さらに、全てのサブフレームにおいてＰＲＡＣＨが受信可能となるよう、PRACH Configuration Index＝１４とする。
【００３９】
第二のタイマーＴ２はＭｅＮＢが起動モードに遷移した時間を起点とした経過時間を測定することを目的とする。Ｔ２がＴｔｈ２に達するまで、起動モードを保持し続け、Ｔ２をインクリメントし続ける（ＳＴ７０５、ＳＴ７０６）。同時に、下り送信電力Ｐｔｘを更新する。ここで、Ｐｔｘは次式で表される。
【００４０】
【数１】
0005609759.tif 000002
【００４１】
ここで、ＰｍａｘはＭｅＮＢの最大送信電力を、ａは単位時間当たりの送信電力増加量を、それぞれ表す。
【００４２】
これにより、ＭｅＮＢの近隣ＵＥが当該ＭｅＮＢにハンドオーバーし易くなる。例えば、図３（ｂ）において、時刻Ｔ３０５でカバレッジ３０５を、時刻Ｔ３０６でカバレッジ３０６を、時刻Ｔ３０７でカバレッジ３０７を、それぞれ形成したとする。ここで、０≦Ｔ３０５＜Ｔ３０６＜Ｔ３０７≦Ｔｔｈ２である。
【００４３】
時刻Ｔ３０５において形成されたカバレッジ３０５内にＵＥ３０２が存在するため、ＵＥ３０２はＭｅＮＢ３０１へハンドオーバーすべく、ＰＲＡＣＨを送信する。この際、ＵＥ３０３およびＵＥ３０４はＭｅＮＢ３０１のカバレッジ外であるため、ＭｅＮＢ３０１へのハンドオーバーを開始することができず、従ってＰＲＡＣＨを送信することができない。その結果、ＰＲＡＣＨを送信するＵＥはＵＥ３０２のみであるため、ＵＥ３０２から送信されたＰＲＡＣＨは他のＰＲＡＣＨの干渉を受けることなく、高い品質でＭｅＮＢ３０１に受信される。この結果、ＵＥ３０２から送信されたＰＲＡＣＨはＭｅＮＢ３０１にて検出され易くなり、速やかにＭｅＮＢ３０１にハンドオーバーすることが可能となる。
【００４４】
仮にフェージングや他セル間干渉の影響等によりＵＥ３０２から送信したＰＲＡＣＨがＭｅＮＢ３０１で検出されなかった場合でも、ＭｅＮＢ３０１は全てのサブフレームにおいてＰＲＡＣＨを受信しているため、ＵＥ３０２は速やかに次の送信機会にＰＲＡＣＨを再送することができる。
【００４５】
次に時刻Ｔ３０６に着目する。時刻Ｔ３０６ではカバレッジ３０６が形成され、その中にＵＥ３０２およびＵＥ３０３が存在する。ここで、Ｔ３０６−Ｔ３０５がＵＥ３０２のＰＲＡＣＨ検出に要する時間より十分大きい場合、ＵＥ３０２は時刻Ｔ３０６においてすでにＭｅＮＢ３０１へのハンドオーバーを完了している。そのため、時刻Ｔ３０６においてＰＲＡＣＨを送信するＵＥはＵＥ３０３のみとなる。この結果、ＵＥ３０３から送信されたＰＲＡＣＨは他のＰＲＡＣＨの干渉を受けることなく、高い品質でＭｅＮＢ３０１に受信されるため、ＵＥ３０３から送信されたＰＲＡＣＨはＭｅＮＢ３０１にて検出され易くなり、速やかにＭｅＮＢ３０１にハンドオーバーすることが可能となる。
【００４６】
同様の理由により、時刻Ｔ３０７においてＭｅＮＢ３０１のカバレッジ内に入るＵＥ３０４も速やかにＭｅＮＢ３０１にハンドオーバーすることが可能となる。
【００４７】
Ｔ２がタイマー満了した場合（Ｔ２≧Ｔｔｈ２）、ＭｅＮＢは定常モードに遷移する（ＳＴ７０７）。このとき、下り送信電力Ｐｔｘを最大送信電力、すなわち、Ｐｔｘ＝Ｐｍａｘとする。さらに、ＰＲＡＣＨの受信頻度を落とすよう、PRACH Configuration Index＝０とする。これにより、起動モードに比べ、上りデータ通信に多くのリソースを割り当てることが可能となる。
【００４８】
定常モードでは自局カバレッジ内のＵＥ数ＮＵＥを監視する（ＳＴ７０８）。ＮＵＥが所定の閾値（ＴＵＥ）より大きい場合（ＳＴ７０９）、定常状態を維持する。ＮＵＥがＴＵＥ以下になった場合、ＭｅＮＢは休止モードに遷移する。
【００４９】
このように、実施の形態によれば、ＭｅＮＢは下り送信を開始する際、下り送信電力を時間経過と共に徐々に上げ、同時に定常状態より多くのサブフレームでＰＲＡＣＨを受信可能となるように設定することにより、周辺のＵＥが当該ＭｅＮＢにハンドオーバーし易くする。
【００５０】
なお、本実施の形態において、第一のタイマー満了を条件に休止モードから起動モードへの状態遷移を行ったが、本発明はこれに限定されず、例えば手動による起動やコアネットワークからの起動指示信号に基づいて起動モードへ遷移してもよい。
【００５１】
また、第二のタイマー満了を条件に起動モードから定常モードへの状態遷移を行ったが、本発明はこれに限定されず、例えばハンドオーバーに成功したＵＥ数に基づいて定常モードへ遷移してもよい。
【００５２】
また、定常モードにおける送信電力は当該基地局装置が出力し得る最大送信電力としたが、本発明はこれに限定されず、任意の送信電力としてもよい。
【００５３】
また、本実施の形態において、ユーザ数があらかじめ定められた閾値を下回ることを条件に定常モードから休止モードへの状態遷移を行ったが、本発明はこれに限定されず、例えばデータトラフィックや時刻情報に基づいて休止モードへ遷移してもよい。
【００５４】
また、本実施の形態において、ＭｅＮＢを例に説明したが、本発明はこれに限定されず、ＨｅＮＢ等の小型基地局装置が同様の手段を講じてもよい。
【産業上の利用可能性】
【００５５】
本発明にかかる基地局装置、送信電力制御方法及び受信方法は、移動通信システム等に適用できる。
【符号の説明】
【００５６】
１０１、２０１、３０１    ＭｅＮＢ
１０２、２０２、２０３、２０４、２０５    ＨｅＮＢ
１０３，１０４、１０５、１０６、２０６、２０７、２０８、２０９、２１０、２１１、２１２、２１３、２１４、２１５、２１６、３０２、３０３、３０４    ＵＥ
３０５、３０６、３０７    カバレッジ
５００    ＭｅＮＢ
５０１    アンテナ
５０２    無線送受信部
５０３    上り受信信号処理部
５０４    制御部
５０５    上り受信決定部
５０６    送信電力決定部
５０７    下り送信信号処理部
【図１】
0005609759.tif 000003
【図２】
0005609759.tif 000004
【図３】
0005609759.tif 000005
【図４】
0005609759.tif 000006
【図５】
0005609759.tif 000007
【図６】
0005609759.tif 000008
【図７】
0005609759.tif 000009